(57)【特許請求の範囲】
【請求項１】
所定形状に成形されたフロントパネルと、
該フロントパネルの背面側に配置されたシャーシと、
該シャーシの前記フロントパネル側表面に配置されたメイン基板と、
該メイン基板に対して、着脱可能なコネクタもしくはコネクタケーブルのみを介して接続されるとともに、着脱可能に固定される機能モジュールと、
を備えたフロントパネルモジュールであって、
前記機能モジュールは、前記シャーシに固定され、前記フロントパネルには固定されておらず、
かつ該機能モジュールは、タッチセンサを含み、
前記フロントパネルモジュールを正面視した、前記タッチセンサの配置領域には、前記フロントパネルにタッチ部が配置され、
該タッチ部は、前記タッチセンサでタッチ操作を検出可能な材質で形成されている、フロントパネルモジュール。
【請求項２】
請求項１に記載のフロントパネルモジュールであって、
前記機能モジュールは液晶のタッチパネルモジュールを含み、
前記フロントパネルモジュールを正面視した、前記液晶のタッチパネルモジュールの配置領域には、前記フロントパネルに開口窓が形成されている、フロントパネルモジュール。
【請求項３】
請求項１または請求項２に記載のフロントパネルモジュールを備えた電子機器。
【請求項４】
請求項３に記載の電子機器を備えたカラオケ装置。
【発明の詳細な説明】
【技術分野】
【０００１】
本発明は、ユーザからの各種操作入力を受け付ける操作入力手段を備えるとともに、表面が所定のデザインで成形されるフロントパネルモジュールに関する。
【背景技術】
【０００２】
カラオケ装置に用いられるフロントパネルモジュールは、その使用用途から、選曲等の各種操作入力を受け付ける機能を備えるとともに、フロントパネルのデザインも一つの重要な要素となる。
【０００３】
したがって、ユーザが歌唱中等に不注意でフロントパネルを破損した場合等には、交換を行う必要がある。
【０００４】
また、現在、このようなフロントパネルモジュールでは、操作入力手段として、液晶のタッチパネルモジュールを用いているものもある。このように、液晶のタッチパネルモジュールを備えた場合には、フロントパネルの破損と同様に、タッチパネルモジュールのみを破損してしまうこともある。そして、この場合も、当然に交換が必要になる。
【０００５】
このようなフロントパネルモジュールの交換方法としては、従来、特許文献１に示すように、フロントパネルモジュール全体を完全に交換する方法が用いられている。
【０００６】
ここで、特許文献１に記載のフロントパネルモジュールは、液晶のタッチパネルモジュール単体で成り立っているが、従来のカラオケ装置のフロントパネルモジュールは、上述のように液晶のタッチパネルモジュールを含む全ての機能部が、フロントパネルの背面側に固定して実装されていた。
【０００７】
したがって、従来のカラオケ装置のフロントパネルモジュールの場合でも同様に、フロントパネルモジュール全体を完全に交換する方法が用いられていた。もしくは、一旦、全ての部品が装着されたフロントパネルモジュールを取り外し、さらに故障部品を個別に取り外す作業を行わなければならなかった。
【先行技術文献】
【特許文献】
【０００８】
【特許文献１】特開２００９−１８４５８２号公報
【発明の概要】
【発明が解決しようとする課題】
【０００９】
しかしながら、従来のフロントパネルモジュールの交換方法を用いた場合、フロントパネルモジュール全体を交換するため、交換コストが高くなってしまう。特に、上述のように、比較的交換頻度が高いカラオケ装置のフロントパネルモジュールでは、保守にかかるコストが特に高くなってしまう。
【００１０】
また、フロントパネルに全ての機能部が固定実装されているので、部品単体、例えば、液晶のタッチパネルモジュールのみを交換しようとすると、手数をかけてフロントパネルモジュールを分解した後に、液晶のタッチパネルモジュールを取り替え、さらに組み立てなければならず、交換の部品コストは抑えられるものの、交換作業の負荷が増え、結果的に保守にかかるコストが高くなってしまう。
【００１１】
したがって、本発明の目的は、保守に係るコストを低減でき、交換が容易な構造のフロントパネルモジュールを提供することにある。
【課題を解決するための手段】
【００１２】
この発明は、フロントパネルモジュールの機構に関する。このフロントパネルモジュールは、所定形状に成形されたフロントパネルと、該フロントパネルの背面側に配置されたシャーシと、を備える。さらに、このフロントパネルモジュールは、シャーシのフロントパネル側表面に配置されたメイン基板と、該メイン基板に対して着脱可能なコネクタもしくはコネクタケーブルのみを介して接続されるとともに、着脱可能に固定された機能モジュールと、を備える。
【００１３】
この構成では、フロントパネルと機能モジュールとが一体化されておらず、そそれぞれを個別で、容易に交換することが可能である。
【００１４】
また、この発明のフロントパネルモジュールでは、機能モジュールは液晶のタッチパネルモジュールであり、フロントパネルモジュールを正面視した液晶のタッチパネルモジュールの配置領域には、フロントパネルに開口窓が形成されている。
【００１５】
この構成では、機能モジュールの具体例として、液晶のタッチパネルモジュールを用いた場合を示している。このような液晶のタッチパネルモジュールの場合、ユーザからの操作入力を受け付けるには、表面がフロントパネルから露出する必要がある。このため、フロントパネルには開口窓が設けてある。そして、このような構成の場合、液晶のタッチパネルモジュールは、フロントパネルの表面に近い領域に配置されることになるが、このような場合であっても、液晶のタッチパネルモジュールを背面のシャーシ側に固定することで、それぞれを個別で、容易に交換することが可能になる。
【発明の効果】
【００１６】
この発明によれば、フロントパネルモジュールのフロントパネルや機能モジュールが個別に破損、故障しても、それぞれを個別で、容易に交換することができる。これにより、保守コストを抑えることが可能になる。
【図面の簡単な説明】
【００１７】
【図１】本発明の実施形態に係るフロントパネルモジュール１の正面図である。
【図２】本発明の実施形態に係るフロントパネルモジュール１の背面図である。
【図３】本発明の実施形態に係るフロントパネルモジュール１の上面図である。
【図４】本発明の実施形態に係るフロントパネルモジュール１の下面図である。
【図５】本発明の実施形態に係るフロントパネルモジュール１の右側面図である。
【図６】本発明の実施形態に係るフロントパネルモジュール１の左側面図である。
【図７】本発明の実施形態に係るフロントパネル１０の三面図である。
【図８】本発明の実施形態に係るメインモジュール２０の構造を示す三面図である。
【発明を実施するための形態】
【００１８】
本発明の実施形態に係るカラオケ装置のフロントパネルモジュールについて、図を参照して説明する。なお、本実施形態では、カラオケ装置のメインモジュールを備える本体と、主にユーザインターフェースおよび電飾を備えるフロントパネルモジュールとが、一体化されていない構造の場合を例に示すが、フロントパネルモジュールのメインモジュールが本体表面に実装されるような構造であっても、本実施形態の構成を適用することができる。
【００１９】
図１は本実施形態に係るフロントパネルモジュールの正面図である。図２は本実施形態に係るフロントパネルモジュール１の背面図である。図３は本実施形態に係るフロントパネルモジュール１の上面図である。図４は本実施形態に係るフロントパネルモジュール１の下面図である。図５は本実施形態に係るフロントパネルモジュール１の右側面図である。図６は本実施形態に係るフロントパネルモジュール１の左側面図である。
【００２０】
カラオケ装置は、図１に示すようなフロントパネルモジュール１と、図示しない本体筐体に備えられた本体モジュールとを備える。フロントパネルモジュール１と本体モジュールとは、フロントパネルモジュール１の背面に形成されたコネクタ端子２３と、本体モジュールに形成されたコネクタ端子とを、コネクタケーブルで接続することにより、電気的に接続される。フロントパネルモジュール１がユーザから受け付けた操作入力情報は、このコネクタケーブルを介して本体モジュールへ伝送される。本体モジュールは、この操作入力情報に基づいて、歌唱曲の再生等の処理を実行する。
【００２１】
フロントパネルモジュール１は、フロントパネル１０と、メインモジュール２０とから構成される。図７は本実施形態に係るフロントパネル１０の三面図であり、正面図、背面図および側面図からなる。図８は、本実施形態に係るメインモジュール２０の構造を示す三面図であり、同様に正面図、背面図および側面図からなる。
【００２２】
フロントパネル１０は、図２に示すように、樹脂成形された複数の部材により形成される。フロントパネル１０は、上下方向に沿って三種の領域に分けられており、上部領域がタッチ入力領域、中間領域がボリューム操作入力領域、下部領域が電源操作入力およびリモコン信号受信領域となるように、形状および素材が選択されている。
【００２３】
フロントパネル１０の上部領域の幅方向の中央には、後述の液晶のタッチパネルモジュール３０の表示画面が嵌り込む大きさの開口窓１１が形成されている。開口窓１１に対する幅方向の両側には、タッチ部１２が形成されている。当該タッチ部１２は、フロントパネル１０の背面側に配置されるメインモジュール２０のタッチセンサモジュール４０Ａ，４０Ｂによって、ユーザによるタッチ部１２の操作を検知できる材質で形成されている。
【００２４】
フロントパネル１０の中間領域には、正面側に突出する複数のボリューム操作子１３が設置されている。当該ボリューム操作子１３は、フロントパネル１０の背面に実装されたボリューム操作検知用基板に対して機構的に接続している。このボリューム操作検知用基板は、少ない回路素子群からなる簡素な回路構成のものであり、着脱可能なコネクタケーブルによって、メインモジュール２０のメイン基板２２へ接続している。
【００２５】
また、フロントパネル１０の中間領域は、リモコン信号を透過可能な素材により形成されている。例えば、赤外線リモコンであれば、赤外線を透過する素材により形成されている。
【００２６】
フロントパネル１０の下部領域には、電源スイッチ１４が設置されている。電源スイッチ１４は、メインモジュールに２０に実装されたタクトスイッチ５６に対して正面視して重り、タクトスイッチの表面を覆うカバー部材から構成される。
フロントパネル１０は、上述のような表面側構造とともに、当該表面壁から垂直に延びる側壁を備える。これにより、フロントパネル１０の背面側には、表面壁と四側壁とにより囲まれるスペースが存在する。
【００２７】
このようなフロントパネル１０の背面側のスペースには、図１に示すように、メインモジュール２０が配置される。
【００２８】
メインモジュール２０は、図３に示すように、シャーシ２１、メイン基板２２、液晶のタッチパネルモジュール３０、タッチセンサモジュール４０Ａ，４０Ｂ、赤外線センサ５０、スピーカ５５、およびタクトスイッチ５６を備える。
【００２９】
シャーシ２１は、金属等の剛性の高い材質からなり、フロントパネル１０の背面側の所定位置に複数のネジ止めのみにより固定される。
【００３０】
シャーシ２１の表面すなわちフロントパネル１０側の面には、メイン基板２２が配設されている。メイン基板２２には、図示しないが、タッチパネルモジュール３０、タッチセンサモジュール４０Ａ，４０Ｂ、赤外線センサ５０で取得した操作入力内容を解析して、上述のように操作入力情報として、本体モジュールへ出力する回路機能を備えている。
【００３１】
メイン基板２２の表面には、タッチパネルモジュール３０およびタッチセンサモジュール４０Ａ，４０Ｂが実装されている。
【００３２】
タッチパネルモジュール３０は、シャーシ２１の幅方向の略中央で上側の領域に設置される。すなわち、上述したフロントパネル１０の開口窓１１と、タッチパネルモジュール３０の表示画面とが略一致するように設置されている。タッチパネルモジュール３０は、単体でモジュール機能を有するものであり、メイン基板２２とは、コネクタケーブル６０のみによって、電気的に接続されている。
【００３３】
また、タッチパネルモジュール３０は、着脱容易なモジュール固定枠３１に嵌め込まれており、当該モジュール固定枠３１をシャーシ２１にネジ止めすることで、シャーシ２１に対して着脱可能に固定されている。
【００３４】
タッチパネルモジュール３０の幅方向の両側には、それぞれタッチセンサモジュール４０Ａ，４０Ｂが設置されている。この位置は、フロントパネルモジュール１を正面視した場合における上述のフロントパネル１０のタッチ部１２の背面側に対応する。これにより、タッチセンサモジュール４０Ａ，４０Ｂは、タッチ部１２への操作を検出することができる。
【００３５】
また、タッチセンサモジュール４０Ａには赤外線センサ５０が実装されている。
【００３６】
タッチセンサモジュール４０Ａ，４０Ｂは、背面側にコネクタ端子を備えており、メイン基板２２に設置されたコネクタ端子と嵌合させることで、メイン基板２２と電気的に接続するとともに、メイン基板２２およびシャーシ２１に機構的に固定される。なお、この際、タッチセンサモジュール４０Ａ，４０Ｂは、複数のネジ止めによる簡素な固定により、さらにシャーシ２１に対する固定状態を安定化させることもできる。
【００３７】
スピーカ５５およびタクトスイッチ５６は、シャーシ２１の下部領域、すなわち、フロントパネルモジュール１を正面視して、フロントパネル１０の下部領域に対応する位置に実装されている。
【００３８】
以上のような構成とすることで、メインモジュール２０とフロントパネル１０とを、容易に分離できる。したがって、フロントパネル１０が破損した場合に、フロントパネル１０のみを取り外して交換すれば良く、フロントパネルモジュール１全体を交換する必要はない。これにより、交換コストを抑えることができる。
【００３９】
また、タッチパネルモジュール３０は、フロントパネル１０に固定されておらず、メイン基板２２に対しても、コネクタケーブル６０およびモジュール固定枠３１で着脱可能に固定されているので、タッチパネルモジュール３０も、他の回路機能部から、容易に分離できる。したがって、タッチパネルモジュール３０が破損した場合には、タッチパネルモジュール３０のみを容易に交換することができる。これによっても、交換コストを抑えることができる。
【００４０】
また、同様に、タッチセンサモジュール４０Ａ，４０Ｂも、容易に他の回路機能部から分離して交換することができる。
【００４１】
なお、電源スイッチやボリュームは、フロントパネル１０に固定されているが、回路が簡素であり安価であるので、予めフロントパネル１０の一部として扱っても、交換コストに大きな影響を与えない。したがって、これら電源スイッチやボリュームが故障した場合は、フロントパネル１０の一部として交換を行えばよい。このように交換コストが安価なものは、若干数程度であればフロントパネル１０に固定していても、本願の効果を損なうことが殆どないので、フロントパネル１０に固定することも可能である。
【００４２】
もちろん、これら電源スイッチやボリュームは、フロントパネル１０に対して簡素なネジ止めにより固定されており、交換は容易であるので、フロントパネル１０取り外し作業に伴って、簡単に交換を行うことができる。これにより、さらに交換コストを抑えることも可能である。
【００４３】
また、これら電源スイッチやボリュームも、フロントパネル１０に固定せずに、メインモジュール２０へ固定しても良い。この場合、フロントパネル１０には、これら電源スイッチやボリュームが外部へ露出するための開口窓を設ければよい。
【００４４】
以上のように、本実施形態の構成を用いることで、保守コストを抑えたカラオケ装置を実現することができる。
【００４５】
なお、上述の説明では、カラオケ装置を例に説明したが、フロントパネルの破損や液晶のタッチパネルモジュールの破損等が起こりやすい他の電子機器に対しても、上述の構成を適用することができる。
【符号の説明】
【００４６】
１−フロントパネルモジュール、１０−フロントパネル、１１−開口窓、１２−タッチ部、１３−ボリューム操作子、１４−電源スイッチ、２０−メインモジュール、２１−シャーシ、２２−メイン基板、２３−コネクタ端子、３０−タッチパネルモジュール、３１−モジュール固定枠、４０Ａ，４０Ｂ−タッチセンサモジュール、５０−赤外線センサ、５５−スピーカ、５６−タクトスイッチ、６０−コネクタケーブル
【図１】
0005738558.tif 000002
【図２】
0005738558.tif 000003
【図３】
0005738558.tif 000004
【図４】
0005738558.tif 000005
【図５】
0005738558.tif 000006
【図６】
0005738558.tif 000007
【図７】
0005738558.tif 000008
【図８】
0005738558.tif 000009